(57)【要約】【課題】携帯情報端末のタッチペンの収納を忘れ、紛失することを防ぐ。【解決手段】タブレット端末１０は、タッチペン２０がタッチペン収納部１２に収納されていることを検出するタッチペン収納検出センサー４０と、電源のオンおよびオフの何れかが指示される電源スイッチ１４と、情報を表示するタッチパネル１８と、電源スイッチ１４の指示に基づいて、電源のオン操作またはオフ操作を実行する電源制御部３２と、を備え、電源制御部３２は、電源のオフが指示されたときにタッチペン２０の収納が検出できない場合、タッチペン２０が未収納であることを示すメッセージを表示し、検出手段がタッチペンの収納を検出しない状態がメッセージを表示してから所定時間続いた場合、オフ操作を実行する。【選択図】図２
2013228773.tif 000002
【特許請求の範囲】
【請求項１】
タッチペンで入力操作を行い、非使用時に前記タッチペンを所定の収納部に収納する情報処理装置であって、
前記タッチペンが前記収納部に収納されていることを検出する検出手段と、
電源のオンおよびオフの何れかが指示される指示手段と、
情報を表示する表示手段と、
前記指示手段の指示に基づいて、前記電源のオン操作またはオフ操作を実行する電源制御手段と、を備え、
前記電源制御手段は、前記指示手段で前記電源のオフが指示されたときに前記検出手段が前記タッチペンの収納を検出しない場合、前記タッチペンが前記収納部に収納されていないことを示すメッセージを前記表示手段に表示し、前記検出手段が前記タッチペンの収納を検出しない状態が前記メッセージを表示してから所定時間続いた場合、前記オフ操作を実行することを特徴とする情報処理装置。
【請求項２】
請求項１に記載の情報処理装置において、
前記電源制御手段は、前記検出手段が前記タッチペンの収納を検出せずに前記オフ操作を実行する場合、前記タッチペンの収納状況を示す情報を記憶し、次に前記オン操作を実行するときに、記憶した前記情報に基づいて前記タッチペンが収納されない状態で前記オフ操作を実行したことを前記表示手段に表示することを特徴とする情報処理装置。
【請求項３】
請求項１乃至２のいずれかに記載の情報処理装置において、
前記電源制御手段は、前記検出手段が前記タッチペンの収納を検出せずに前記オフ操作を実行する場合、所定の印刷装置に前記メッセージを印刷させることを特徴とする情報処理装置。
【請求項４】
タッチペンで入力操作を行い、非使用時に前記タッチペンを所定の収納部に収納する情報処理装置の制御方法であって、
電源のオフが指示されたときに前記タッチペンが前記収納部に収納されているか、否かを判定する第１判定工程と、
第１判定工程で前記タッチペンの未収納を判定した場合、前記タッチペンが前記収納部に収納されていないことを示すメッセージを前記表示手段に表示する表示工程と、
前記メッセージを表示してから所定の時間が経過するまでに前記タッチペンが前記収納部に収納されたか、否かを判定する第２判定工程と、
前記第２判定工程で前記タッチペンの未収納を判定した場合、前記電源のオフ操作を実行する電源オフ工程と、を備えることを特徴とする情報処理装置の制御方法。
【発明の詳細な説明】
【技術分野】
【０００１】
本発明は、情報処理装置および情報処理装置の制御方法に関する。
【背景技術】
【０００２】
携帯情報端末の入力装置としてタッチパネルが広く採用されている。ユーザーは、携帯情報端末のタッチパネルに表示されるユーザーインターフェイス画面を手指でタッチすることで所望の操作を指示できる。また、このタッチパネルから手書き文字を入力する場合、手書き入力の容易さや文字認識の精度向上のため、ユーザーは携帯情報端末が具備するペン型入力デバイス（タッチペン）を使って入力する。
このようなタッチペンは、ユーザーが使用しない場合に紛失を防止するため、携帯情報端末にタッチペンの収納部を設け、使用後は収納部に収納することが推奨される。また、下記特許文献１および２に示すように、タッチペンが携帯情報端末の収納部に収納されない状態で携帯情報端末の電源が切られた場合、電源を切ることなく、未収納の警告メッセージをタッチパネルに表示し、ユーザーに対して紛失の注意を促す携帯情報端末が提案されている。
【先行技術文献】
【特許文献】
【０００３】
【特許文献１】特開平６−２５０７７０号公報
【特許文献２】特開平１１−３０５９２９号公報
【発明の概要】
【発明が解決しようとする課題】
【０００４】
しかしながら、表示された警告メッセージをユーザーが見落してしまい、携帯情報端末から離れてしまった場合には、携帯情報端末は警告メッセージを表示した駆動状態が維持されるため、内蔵する電池からの放電が継続され、次に携帯情報端末を使用する場合、電池の容量が不足して使用できないことがあった。
そこで本発明は、前記課題に鑑みてなされたものであり、電力消費を抑制しつつ、携帯情報端末が備えるタッチペンの紛失を防ぐことを目的とする。
【課題を解決するための手段】
【０００５】
本発明は、上述の課題の少なくとも一部を解決するためになされたものであり、以下の形態又は適用例として実現することが可能である。
【０００６】
［適用例１］
本適用例にかかる情報処理装置は、タッチペンで入力操作を行い、非使用時に前記タッチペンを所定の収納部に収納する情報処理装置であって、前記タッチペンが前記収納部に収納されていることを検出する検出手段と、電源のオンおよびオフの何れかが指示される指示手段と、情報を表示する表示手段と、前記指示手段の指示に基づいて、前記電源のオン操作またはオフ操作を実行する電源制御手段と、を備え、前記電源制御手段は、前記指示手段で前記電源のオフが指示されたときに前記検出手段が前記タッチペンの収納を検出しない場合、前記タッチペンが前記収納部に収納されていないことを示すメッセージを前記表示手段に表示し、前記検出手段が前記タッチペンの収納を検出しない状態が前記メッセージを表示してから所定時間続いた場合、前記オフ操作を実行することを特徴とする。
【０００７】
このような構成によれば、電源制御手段は、指示手段で電源のオフが指示されたときに検出手段がタッチペンの収納を検出できない場合、タッチペンが収納部に収納されていないことを示すメッセージを表示手段に表示し、検出手段がタッチペンの収納を検出しない状態がメッセージを表示してから所定時間続いた場合、オフ操作を実行する。従って、タッチペンが未収納の状態で電源を切る場合、メッセージを表示してユーザーに警告を与えることでタッチペンの紛失を回避できることに加え、ユーザーがメッセージを視認しない場合であっても、所定の時間が経過すると情報処理装置の電源が切られるため、情報処理装置の電力消費を抑制できる。
【０００８】
［適用例２］
上記適用例にかかる情報処理装置において、前記電源制御手段は、前記検出手段が前記タッチペンの収納を検出せずに前記オフ操作を実行する場合、前記タッチペンの収納状況を示す情報を記憶し、次に前記オン操作を実行するときに、記憶した前記情報に基づいて前記タッチペンが収納されない状態で前記オフ操作を実行したことを前記表示手段に表示することを特徴とする。
【０００９】
このような構成によれば、タッチペンが未収納の状態で情報処理装置の電源が切られた場合、次に情報処理装置の電源を入れた時に、警告を表示するため、ユーザーにタッチペン紛失の注意を喚起させることができる。
【００１０】
［適用例３］
上記適用例にかかる情報処理装置において、前記電源制御手段は、前記検出手段が前記タッチペンの収納を検出せずに前記オフ操作を実行する場合、所定の印刷装置に前記メッセージを印刷させることを特徴とする。
【００１１】
このような構成によれば、タッチペンが未収納の状態で情報処理装置の電源が切られたことを印刷装置に印刷することで、ユーザーに周知できる。
【００１２】
［適用例４］
本適用例にかかる情報処理装置の制御方法は、タッチペンで入力操作を行い、非使用時に前記タッチペンを所定の収納部に収納する情報処理装置の制御方法であって、電源のオフが指示されたときに前記タッチペンが前記収納部に収納されているか、否かを判定する第１判定工程と、第１判定工程で前記タッチペンの未収納を判定した場合、前記タッチペンが前記収納部に収納されていないことを示すメッセージを前記表示手段に表示する表示工程と、前記メッセージを表示してから所定の時間が経過するまでに前記タッチペンが前記収納部に収納されたか、否かを判定する第２判定工程と、前記第２判定工程で前記タッチペンの未収納を判定した場合、前記電源のオフ操作を実行する電源オフ工程と、を備えることを特徴とする。
【００１３】
このような方法によれば、電源のオフが指示されたときに、タッチペンの収納を検出できない場合、タッチペンが収納部に収納されていないことを示すメッセージを表示し、メッセージを表示してから所定の時間が経過するまでにタッチペンの収納を検出しない場合、オフ操作を実行する。従って、タッチペンが未収納の状態で電源を切る場合、メッセージを表示してユーザーに警告を与えることでタッチペンの紛失を回避できることに加え、ユーザーがメッセージを視認しない場合であっても、所定の時間が経過すると情報処理装置の電源が切られるため、情報処理装置の電力消費を抑制できる。
【図面の簡単な説明】
【００１４】
【図１】本発明の実施形態に係るタブレット端末の外観図。
【図２】タブレット端末の機能構成を示す図。
【図３】タブレット端末のシャットダウン処理の流れを示すフローチャート。
【図４】タブレット端末の起動処理の流れを示すフローチャート。
【発明を実施するための形態】
【００１５】
以下、本発明の実施形態について図面を参照して説明する。
【００１６】
（実施形態）
図１は、情報処理装置として機能するタブレット端末１０を表面側から見た外観図である。タブレット端末１０の表面には、タッチパネル１８、タッチペン収納部１２および電源スイッチ１４が配設されている。また、このタブレット端末１０には、ユーザーが把持してタッチパネル１８上から操作指示するためのタッチペン２０が備えられている。
本実施形態では、ユーザーがタブレット端末１０を操作して文書を作成し、更に、タッチパネル１８に表示された印刷ボタン１６を押下することで、作成された文書が無線接続された所定の印刷装置５０（図２）で印刷されるワードプロセッサーシステムを想定する。
【００１７】
タッチパネル１８は、表示手段として機能する液晶パネルと、位置入力手段として機能するタッチパッドが重畳して構成されている。このタッチパネル１８は、２種類の異なる方式によるタッチパッドが液晶パネルを挟むように構成されており、タッチペン２０の指示位置に加え、手指の指示位置も認識できる。
タッチペン収納部１２はタッチペン２０を収納可能な空間を有し、タッチペン２０を使わない場合にユーザーにより収納される。また、指示手段として機能する電源スイッチ１４は、タブレット端末１０の駆動の開始および終了を指示する駆動指示手段であり、押下される度に電源オンと電源オフを繰り返す。
【００１８】
図２は、タブレット端末１０の機能構成を示す図である。タブレット端末１０は、制御部３０、電源スイッチ１４、タッチペン収納検出センサー４０、電源装置４２、タッチパネル１８および通信装置４４を備える。
また、制御部３０は電源制御部３２、収納状態記憶部３４、印刷制御部３６および文字認識部３８を備える。尚、制御部３０の各機能部は、何れも図示を略した、ＣＰＵ，ＲＡＭ、ＲＯＭおよびフラッシュメモリー等のハードウェアと、ＲＯＭやフラッシュメモリーに記憶されたソフトウェアとが協働することにより機能を実現する。
【００１９】
検出手段として機能するタッチペン収納検出センサー４０は、タッチペン収納部１２内に設置され、タッチペン２０がタッチペン収納部１２の所定位置に収納された場合に検出信号を出力する。検出方法は、例えば、タッチペン収納部１２に収納されたタッチペン２０の一部が当接して通電するような方法や、近接センサーによりタッチペン２０の収納を検知する方法が想定できる。
収納状態記憶部３４は、タッチペン収納部１２へのタッチペン２０の収納情報を記憶する。本実施形態では、収納状態記憶部３４は、電源制御部３２からの記憶指示を受けた場合、タッチペン収納検出センサー４０の検出信号に基づいて収納情報を生成し、生成した収納情報をフラッシュメモリーに格納する。従って、格納した収納情報は、タブレット端末１０の電源が切られた状態、即ち、シャットダウンされた状態であっても保持される。
【００２０】
電源制御手段として機能する電源制御部３２は、電源スイッチ１４の押下に応じて、タブレット端末１０に電源を供給する電源装置４２の供給動作を制御する。本実施形態では、電源制御部３２は、起動処理を含むオン操作や、シャットダウン処理を含むオフ操作を実行する。また、電源制御部３２は、電源装置４２の供給動作を制御する際に、タッチペン収納検出センサー４０の検出信号や収納状態記憶部３４に記憶された収納情報を参照し、タッチパネル１８にメッセージの表示を指示したり、印刷制御部３６にメッセージの印刷を指示したりする。また、電源制御部３２は、電源装置４２に対して電源供給を終了させてシャットダウンを指示する前に、収納状態記憶部３４に対して収納情報の記憶を指示する。
【００２１】
印刷制御部３６は、電源制御部３２からの印刷指示に基づいて、タブレット端末１０と通信可能な印刷装置５０に対して印刷データを生成し、通信装置４４を介して生成した印刷データを印刷装置５０に送信する。また、印刷制御部３６は、送信する印刷データを印刷可能な印刷装置５０の情報を検索して取得し、電源制御部３２からの要求に応じて、電源制御部３２に知らせる機能を備えている。
尚、印刷装置５０との接続は、有線通信であっても良く、また、無線通信であっても良い。また、所定のアクセスポイントを介したネットワーク通信や、ピアＴＯピア方式のネットワーク通信も想定できる。
【００２２】
文字認識部３８は、タッチパネル１８上を移動したタッチペン２０の軌跡に基づく文字を認識する。尚、文字の入力方法は、タッチペン２０による入力に限定されるものではなく、手指の移動軌跡を認識する方法、ソフトウェアキーボードをタッチパネル１８に表示させる方法、およびハードウェアとしてキーボードをタブレット端末１０に付設する方法が想定でき、これらを介して文字を入力しても良い。
図３は、駆動中のタブレット端末１０において電源スイッチ１４が押下された場合のシャットダウン処理の流れを示すフローチャートである。
この処理が開始されると、電源制御部３２は、タッチペン２０の収納情報を取得する（ステップＳ１００）。
【００２３】
次に、電源制御部３２は、取得した収納情報からタッチペン２０がタッチペン収納部１２に収納されているか、否かを判定する（ステップＳ１０２）＜第１判定工程＞。
ここで、タッチペン２０がタッチペン収納部１２に収納されていると判定した場合（ステップＳ１０２でＹｅｓ）、電源制御部３２はタッチペン２０が収納されていることを示す収納情報を収納状態記憶部３４に記憶し（ステップＳ１０９）、ステップＳ１１６に進む。
【００２４】
他方で、タッチペン２０がタッチペン収納部１２に収納されていないと判定した場合（ステップＳ１０２でＮｏ）、電源制御部３２は、タッチペン２０の収納要求を示すメッセージをタッチパネル１８に表示させ（ステップＳ１０４）＜表示工程＞、経過時間を計測する。
本実施形態では、タッチペン２０はタブレット端末１０と通信しない様態を想定するが、タッチペン２０とタブレット端末１０は通信可能であって、収納要求を示すメッセージを表示する場合、タッチペン２０に対して通信で指示し、タッチペン２０のＬＥＤを点灯させたり、ブザーを鳴らしたり、振動を発生させたりする様態も想定できる。
【００２５】
次に、電源制御部３２は、収納要求を示すメッセージを最初に表示させてから所定時間が経過したか、否かを判定する（ステップＳ１０６）＜第２判定工程＞。ここで所定時間が経過していないと判定した場合（ステップＳ１０６でＮｏ）、ステップＳ１００に戻り上述の処理を繰り返す。尚、所定時間は固定値であっても良く、また、ユーザーが設定可能であっても良い。
他方で、所定時間が経過したと判定した場合（ステップＳ１０６でＹｅｓ）、電源制御部３２は、タッチペン２０が未収納であることを示す収納情報を収納状態記憶部３４に記憶させる（ステップＳ１０８）。
続いて、電源制御部３２は、印刷制御部３６から印刷可能な印刷装置情報を取得する（ステップＳ１１０）。
【００２６】
続いて、電源制御部３２は、取得した印刷装置情報に基づいて、印刷可能な印刷装置５０が有るか、否かを判定する（ステップＳ１１２）。
ここで、印刷可能な印刷装置５０は無いと判定した場合（ステップＳ１１２でＮｏ）、ステップＳ１１６に進む。
【００２７】
他方で、印刷可能な印刷装置５０が有ると判定した場合（ステップＳ１１２でＹｅｓ）、電源制御部３２は印刷装置５０を決定し、決定した印刷装置５０でタッチペン２０が未収納であることを示すメッセージを印刷すべく印刷制御部３６に指示する（ステップＳ１１４）。ここで、電源が強制的に切られる旨のメッセージをタッチパネル１８に表示しても良い。
ステップＳ１１６では、電源制御部３２は、電源装置４２に対して電源オフ操作を実行して電源を切り＜電源オフ工程＞、一連の処理を終了する。この結果、タブレット端末１０は、所定のシャットダウン処理を実行した後、シャットダウンする。
尚、タブレット端末１０のシャットダウン動作は、ユーザーの所定の設定で任意に変更できる。
【００２８】
図４は、駆動していない状態のタブレット端末１０において電源スイッチ１４が押下された場合の起動処理の流れを示すフローチャートである。本実施形態では、この処理は起動処理の一部として実行される。
この処理が開始されると、電源制御部３２は、収納状態記憶部３４に記憶している収納情報を取得する（ステップＳ１２０）。
続いて、電源制御部３２は、取得した収納情報がタッチペン２０の未収納を示しているか、否かを判定する（ステップＳ１２２）。
【００２９】
ここで、収納情報がタッチペン２０の収納を示している場合（ステップＳ１２２でＮｏ）、前回のシャットダウン時にタッチペン２０が収納されていたことを示すので、何も表示せずに一連の処理を終了する。
他方で、収納情報がタッチペン２０の未収納を示している場合（ステップＳ１２２でＹｅｓ）、電源制御部３２は、前回のシャットダウン時にタッチペン２０が未収納であったこと、更に、今後は、タッチペン２０を収納してから電源を切ってシャットダウンすることを促すメッセージをタッチパネル１８に表示させ（ステップＳ１２４）、一連の処理を終了する。尚、表示したメッセージは、ユーザーが確認操作を行うことで消去される。
【００３０】
以上述べた実施形態によれば、以下のような効果を奏する。
（１）タブレット端末１０のタッチペン２０が所定の位置に収納されることなく、タブレット端末１０のシャットダウンが指示された場合、タッチペン２０の収納を促すメッセージをタッチパネル１８に表示してユーザーに通知し、通知から所定時間経過してもタッチペン２０が収納されない場合、タブレット端末１０自身でシャットダウンを実行する。従って、ユーザーがメッセージを見落とした場合であっても、タブレット端末１０はシャットダウンするため、タブレット端末１０の電力消費を抑制できる。
【００３１】
（２）タッチペン２０が収納されない状態でタブレット端末１０がシャットダウンする際に、印刷可能な印刷装置５０を検索し、印刷可能な印刷装置５０にタッチペン２０の収納を促すメッセージを印刷するため、ユーザーに対してメッセージを効果的に伝達できる。
（３）タッチペン２０が収納されない状態でタブレット端末１０がシャットダウンする際に、タッチペン２０が未収納状態でシャットダウンしたことを記憶し、次にタブレット端末１０を起動させたときに、タッチペン２０が未収納状態でシャットダウンしたことをタッチパネル１８に表示してユーザーに警告するため、タッチペン２０を収納しないことで生じる紛失を防げる。
以上述べた装置は、単独の装置によって実現される場合もあれば、複数の装置を組み合わせることによって実現される場合もあり、各種の態様を含むものである。
【符号の説明】
【００３２】
１０…タブレット端末、１２…タッチペン収納部、１４…電源スイッチ、１６…印刷ボタン、１８…タッチパネル、２０…タッチペン、３０…制御部、３２…電源制御部、３４…収納状態記憶部、３６…印刷制御部、３８…文字認識部、４０…タッチペン収納検出センサー、４２…電源装置、４４…通信装置、５０…印刷装置。
【図１】
2013228773.tif 000003
【図２】
2013228773.tif 000004
【図３】
2013228773.tif 000005
【図４】
2013228773.tif 000006